(57)【要約】【課題】手洗器から排出される排水を内部へ流入可能であり、かつ便器排水管と排出管とを容易に接続することができる排水接続管を提供する。【解決手段】便器１０に設けられて横向きに延びる便器排水管１１と、便器１０が取り付けられるトイレ空間Ｓに設けられて横向きに延びる排出管２１とを接続するための排水接続管３０である。排水接続管３０は、一端側に形成され、排出管２１の流入口２２の内径と同一寸法の内径を有し、便器排水管１１が挿入される第１管部３１と、第１管部３１と同軸をなして軸方向の他端側に形成され、便器排水管１１の排出口１２の外径と同一寸法の外形を有し、排出管２１に挿入する第２管部３２と、第１管部３１と第２管部３２との間に形成され、トイレ空間Ｓに設けられた手洗器５０と排水ホース５１によって接続され、手洗器５０から排出される排水が排水ホース５１を介して内部へ流入する流入部４０とを備えている。【選択図】図１
2008115589.tif 000002
【特許請求の範囲】
【請求項１】
便器に設けられて横向きに延びる便器排水管と、該便器が取り付けられるトイレ空間に設けられて横向きに延びる排出管とを接続するための排水接続管であって、
一端側に形成され、前記排出管の流入口の内径と同一寸法の内径を有し、前記便器排水管が挿入される第１管部と、
該第１管部と同軸をなして軸方向の他端側に形成され、該便器排水管の排出口の外径と同一寸法の外径を有し、該排出管に挿入する第２管部と、
該第１管部と該第２管部との間に形成され、前記トイレ空間に設けられた手洗器と排水ホースによって接続され、該手洗器から排出される排水が該排水ホースを介して内部へ流入する流入部とを備えていることを特徴とする排水接続管。
【請求項２】
前記流入部は、前記排水ホースが接続される接続部と、
該接続部と前記第２管部とを連結し、該第２管部に対して直角方向に突出して形成され、内部に前記軸方向が短く周方向が長い連通路を有し、外形の幅が該軸方向で該接続部の外径寸法より短い連結部とを有する請求項１記載の排水接続管。
【請求項３】
少なくとも表面が不燃材料で形成されている請求項１又は２記載の排水接続管。
【請求項４】
請求項１乃至３のいずれか１項記載の排水接続管と、外周方向に延びる複数のリブが形成された円筒状のパッキンとを用意し、前記第２管部に該パッキンを外嵌し、前記排出管に該第２管部を挿入する工程と、
前記便器排水管に該パッキンを外嵌し、前記第１管部に該便器排水管を挿入する工程と、
前記排水ホースを前記流入部に接続する工程とを備えていることを特徴とする便器及び手洗器の排水接続方法。
【請求項５】
前記便器の下端に高さ調整部材を設ける工程を備えている請求項４記載の便器及び手洗器の排水接続方法。
【発明の詳細な説明】
【技術分野】
【０００１】
本発明は排水接続管並びに便器及び手洗器の排水接続方法に関する。
【背景技術】
【０００２】
特許文献１の図７〜図９に従来の排水接続管が示されている。この排水接続管は、便器に設けられて下向きに延びる便器排水管と、便器が取り付けられるトイレ空間に設けられて上向きに開口している排出管とを接続している。この排水接続管は、一端側に形成され、便器排水管が挿入される上向きの開口を有する第１管部と、第１管部と偏心して他端側に形成され、排出管と接続される下向きの開口を有する第２管部とを備えている。この排水接続管は、トイレ空間に設けられた手洗器と排水ホースによって接続され、手洗器から排出される排水が排水ホースを介して排水接続管の内部へ流入する流入部を備えている。
【０００３】
この排水接続管を利用した便器及び手洗器の排水接続方法は、排出管と第２管部との間にパッキンを配置し、第２管部及び第１管部を床面に木螺子で固定する工程と、第１管部にパッキンを内嵌し、便器排水管を挿入する工程と、排水ホースを流入部に接続する工程とを備えている。
【０００４】
また、特許文献１に、便器に設けられて横向きに延びる便器排水管と、便器が取り付けられるトイレ空間に設けられて横向きに延びる排出管とを接続する排水接続管が示されている。この排水接続管は、手洗器の排出口に接続された排水ホースを接続可能である。
【０００５】
このような構成である従来の排水接続管は、手洗器の排出口に接続された排水ホースを接続することができ、便器から排出される排水の経路に手洗器から排出される排水を流入することができる。このため、わざわざ手洗器用に排水管を床下から立ち上げて手洗器の排出口と接続する等の工事が不要となる。
【０００６】
【特許文献１】特開２００３−２７５６３号公報
【発明の開示】
【発明が解決しようとする課題】
【０００７】
しかし、上記従来の排水接続管は、排出管と第２管部との接続の際に、第１管部及び第２管部を床面に固定しなければならないため、便器排水管と排出管とを接続する際に手間がかかった。
【０００８】
本発明は、上記従来の実情に鑑みてなされたものであって、手洗器から排出される排水を内部へ流入可能であり、かつ便器排水管と排出管とを容易に接続することができる排水接続管を提供することを解決すべき課題としている。
【課題を解決するための手段】
【０００９】
本発明の排水接続管は、便器に設けられて横向きに延びる便器排水管と、該便器が取り付けられるトイレ空間に設けられて横向きに延びる排出管とを接続するための排水接続管であって、
一端側に形成され、前記排出管の流入口の内径と同一寸法の内径を有し、前記便器排水管が挿入される第１管部と、
該第１管部と同軸をなして軸方向の他端側に形成され、該便器排水管の排出口の外径と同一寸法の外径を有し、該排出管に挿入する第２管部と、
該第１管部と該第２管部との間に形成され、前記トイレ空間に設けられた手洗器と排水ホースによって接続され、該手洗器から排出される排水が該排水ホースを介して内部へ流入する流入部とを備えていることを特徴とする。
【００１０】
本発明の排水接続管は、流入部と手洗器とを排水ホースによって接続するため、手洗器から排出される排水を内部へ流入可能である。
【００１１】
また、第１管部の内径が排出管の流入口の内径と同一寸法であるため、便器排水管を排出管に挿入して接続することと同様に便器排水管を第１管部に挿入して接続することができる。また、本発明の排水接続管は、第２管部の外径が便器排水管の排出口の外径と同一寸法であるため、便器排水管を排出管に挿入して接続することと同様に第２管部を排出管に挿入して接続することができる。
【００１２】
したがって、本発明の排水接続管は、手洗器から排出される排水を内部へ流入可能であり、便器排水管と排出管とを容易に接続することができる。
【００１３】
本発明の排水接続管において、流入部は、排水ホースが接続される接続部と、接続部と第２管部とを連結し、第２管部に対して直角方向に突出して形成され、内部に軸方向が短く周方向が長い連通路を有し、外形の幅が軸方向で接続部の外径寸法より短い連結部とを有することが好ましい。
【００１４】
この場合、連通部の外形の幅が軸方向で接続部の外径寸法より短いため、排水接続管において流入部が接続される部位を軸方向で短くすることができる。その結果、排水接続管の軸方向寸法を短くすることができるので、この排水接続管を利用して便器排水管と排出管とを接続しても、便器の前方への突出が少なくて済む。このため、便器前のトイレ空間を広く利用することができる。
【００１５】
また、連通路は軸方向が短くても周方向が長いため、手洗器から排出される排水は滞留することなく排水接続管の内部に流入することができる。
【００１６】
また、排水接続管を便器排水管及び排出管に接続するに際し、第２管部に対して直角方向に突出している流入部を左右どちらかの斜め上方に向けることができる。このため、手洗器が取り付けられた左右どちらかの壁面にむけて斜め上方に流入部が向くように排水接続管を便器排水管及び排出管に接続すれば、排水ホースを流入部に容易に接続することができる。
【００１７】
本発明の排水接続管は、少なくとも表面が不燃材料で形成されていることが好ましい。
【００１８】
排水接続管は、例えば、金属製とすることができる。金属製の排水接続管は、鋳造等により製造され得る。また、排水接続管の本体を樹脂で形成し、その本体の外表面を不燃材料で被膜して排水接続管を形成することができる。このようにすれば、排水接続管を防火材とすることができるため、防火における安全性を高めることができる。
【００１９】
本発明の便器及び手洗器の排水接続方法は、前記排水接続管と、外周方向に延びる複数のリブが形成された円筒状のパッキンとを用意し、前記第２管部に該パッキンを外嵌し、前記排出管に該第２管部を挿入する工程と、
前記便器排水管に該パッキンを外嵌し、前記第１管部に該便器排水管を挿入する工程と、
前記排水ホースを前記流入部に接続する工程とを備えていることを特徴とする。
【００２０】
本発明の排水接続方法では、第２管部に外嵌するパッキンと便器排水管に外嵌するパッキンとを共通化することができる。このため、複数種類のパッキンを用意する必要がないため、接続作業が容易となり、かつ部品管理も簡易になる。
【００２１】
また、パッキンを外嵌した第２管部を排出管に挿入し、パッキンを外嵌した便器排水管を第１管部に挿入しさえすれば、排出管の内周面と第２管部の外周面との間及び第１管部の内周面と便器排水管の外周面との間はパッキンによりシールされる。このため、便器又は手洗器から排出される排水がこれら接続部から漏れることがないように排水接続管を便器排水管及び排出管に容易に接続することができる。
【００２２】
本発明の排水接続方法においては、便器の下端に高さ調整部材を設ける工程を備えていることが好ましい。
【００２３】
排出管が上方向に傾斜して横向きに延びている場合、この排出管に排水接続管を接続すると、排水接続管の第１管部は排出管より高い位置となる。一方、高さ調整部材を便器の下端に設けて、第１管部の高さに合わせて便器排水管の高さを上げれば、高さの差が解消され、便器排水管を第１管部に挿入して接続することができる。このようにすれば、便器と便器排水管とが一体化されていても、便器排水管の高さが違う複数種類の便器を用意する必要がなくなり、便器を共通化することができる。このため、接続作業が容易となり、部品管理も簡易になる。
【発明を実施するための最良の形態】
【００２４】
以下、本発明を具体化した実施例１、２を図面を参照しつつ説明する。
【実施例１】
【００２５】
図１〜図３に示すように、実施例１の排水接続管３０は、鋳造による金属製品であり、便器１０に設けられて便器１０の後方横向きに延びる便器排水管１１と、便器１０が取り付けられるトイレ空間Ｓに設けられて横向きに延びる排出管２１とを接続するものである。
【００２６】
排水接続管３０は、一端側に第１管部３１が備えられている。第１管部３１の内径ｎは排出管２１の流入口２２の内径Ｎと同一寸法である。第１管部３１と同軸をなして軸方向の他端側に第２管部３２が備えられている。第２管部３２の外径ｇは便器排水管１１の排出口１２の外径Ｇと同一寸法である。
【００２７】
排水接続管３０は、第１管部３１と第２管部３２との間に流入部４０を備えている。流入部４０は、トイレ空間Ｓの側壁面に設けられた手洗器５０と排水ホース５１によって接続され得る。
【００２８】
流入部４０は、第２管部３２に対して直角方向に突出している。流入部４０は、接続部４２と接続部４２を第２管部３２に連結する連結部４１とを有している。連結部４１は、内部に排水接続管３０の軸方向で短く、周方向で長い連通路４１ｒを有し、外形の幅が排水接続管３０の軸方向で接続部４２の外径寸法Ｌより短い楔形状である。連通路４１ｒの断面積は排水ホース５１の通路断面積と略同じである。接続部４２は開口縁部に鍔部４２ｔを有し、排水ホース５１は先端部５２にパッキン５２ｐ及び鍔部５２ｔを有している。接続部４２に排水ホース５１の先端部５２を挿入し、鍔部４２ｔ、５２ｔを挟み込むようにしてクリップ６０を嵌めることにより、排水ホース５１が接続部４２に接続される。
【００２９】
実施例１の排水接続管３０は、以下に示すように、便器排水管１１、排出管２１及び排水ホース５１が接続される。
【００３０】
外周方向に延びる複数のリブｒが形成された円筒状のパッキンＰ１、Ｐ２を用意する。パッキンＰ１、Ｐ２は同一の形状であり、同一の材料で形成され、同一の性能を有するものである。第２管部３２にパッキンＰ２を外嵌する。手洗器５０が便器１０に向かって右側の壁面に取り付けられているため、流入部４０が右斜め上方に向くようにして、パッキンＰ２が外嵌された第２管部３２を排出管２１に挿入する。一方、便器排水管１１にパッキンＰ１を外嵌する。パッキンＰ１が外嵌された便器排水管１１を第１管部３１に挿入する。このようにして排水接続管３０を介して便器排水管１１と排出管２１とを接続する。
【００３１】
この後、排水ホース５１の先端部５２を接続部４２に挿入し、鍔部４２ｔ、５２ｔを挟み込むようにしてクリップ６０を嵌める。こうして排水ホース５１が排水接続管３０の接続部４２に接続される。
【００３２】
このような構成である実施例１の排水接続管３０は、第１管部３１の内径ｎが排出管２１の流入口２２の内径Ｎと同一寸法であるため、便器排水管１１を排出管２１に挿入して接続することと同様に便器排水管１１を第１管部３１に挿入して接続することができる。また、排水接続管３０は、第２管部３２の外径ｇが便器排水管１１の排出口１２の外径Ｇと同一寸法であるため、便器排水管１１を排出管２１に挿入して接続することと同様に第２管部３２を排出管２１に挿入して接続することができる。
【００３３】
したがって、本発明の排水接続管３０は、手洗器５０から排出される排水を内部へ流入可能であり、便器排水管１１と排出管２１とを容易に接続することができる。
【００３４】
また、連結部４１の外形の幅が軸方向で接続部４２の外径寸法Ｌより短い楔形状であるため、排水接続管３０において流入部４０が接続される部位を軸方向で短くすることができる。その結果、排水接続管３０の軸方向寸法を短くすることができ、便器１０の前方への突出が少ない。このため、便器１０前のトイレ空間Ｓを広く利用することができる。また、連通路４１ｒは、軸方向が短くても周方向が長く、断面積は排水ホース５１の通路断面積と略同じであるため、手洗器５０から排出される排水は、滞留することなく排水接続管３０内部に流入することができる。また、排水接続管３０は鋳造による金属製品であり、防火における安全性を高めることができる。
【００３５】
また、手洗器５０が右壁面に取り付けられており、流入部４０が右斜め上方に向くように排水接続管３０を便器排水管１１及び排出管２１に接続している。このため、排水ホース５１を流入部４０に容易に接続することができる。
【００３６】
また、パッキンＰ１、Ｐ２は共通のものであるため、接続作業が容易であり、部品管理も簡易である。
【００３７】
また、排出管２１の内周面と第２管部３２の外周面との間及び第１管部３１の内周面と便器排水管１１の外周面との間はパッキンＰ１、Ｐ２によりシールされている。このため、便器１０又は手洗器５０から排出される排水がこれら接続部から漏れることがない。
【実施例２】
【００３８】
図４に示すように、実施例２は、上方向に傾斜して横向きに延びている排出管２１に排水接続管３０を適用した場合を示すものである。便器１０の下端に高さ調整部材１５を設けている。
【００３９】
上方向に傾斜して横向きに延びている排出管２１に排水接続管３０が接続されているため、排水接続管３０の第１管部３１は排出管２１より高い位置になっている。一方、高さ調整部材１５を便器１０の下端に設けて、第１管部３１の高さに合わせて便器排水管１１の高さを上げて、高さの差を解消している。そして、便器排水管１１を第１管部３１に挿入して接続している。他の構成は実施例１と同様である。このため、同一の構成については、同一の符号を付し詳細な説明は省略する。
【００４０】
このような構成である実施例２の排水接続管３０において、第１管部３１の内径が排出管２１の流入口内径と同一寸法であるため、便器排水管１１を排出管２１に挿入して接続することと同様に便器排水管１１を第１管部３１に挿入して接続することができる。また、第２管部３２の外径が便器排水管１１の排出口外径と同一寸法であるため、便器排水管１１を排出管２１に挿入して接続することと同様に第２管部３２を排出管２１に挿入して接続することができる。
【００４１】
したがって、実施例２の排水接続管３０も、実施例１と同様に、本発明の作用効果を奏することができる。
【産業上の利用可能性】
【００４２】
本発明は便器、特に、トイレ空間に手洗器を新たに設ける場合のリフォーム用便器に利用可能である。
【図面の簡単な説明】
【００４３】
【図１】実施例１の排水接続管の接続状態を示す透視図である。
【図２】実施例１の排水接続管等の分解断面図である。
【図３】実施例１の排水接続管等の分解斜視図である。
【図４】実施例２の排水接続管の接続状態を示す一部切欠き図である。
【符号の説明】
【００４４】
１０…便器
１１…便器排水管
１２…排出口
１５…高さ調整部材
２１…排出管
２２…流入口
３０…排水接続管
３１…第１管部
３２…第２管部
４０…流入部
４１…連結部
４１ｒ…連通路
４２…接続部
５０…手洗器
５１…排水ホース
Ｓ…トイレ空間
Ｐ１、Ｐ２…パッキン
【図１】
2008115589.tif 000003
【図２】
2008115589.tif 000004
【図３】
2008115589.tif 000005
【図４】
2008115589.tif 000006